(57)【要約】【課題】変調多値数を高い精度で推定することの可能な信号処理装置および信号処理方法を提供する。【解決手段】無線周波数信号をダウンコンバートしたＢＢ（ベースバンド）信号の周期定常性を周期定常性算出部３１により算出し、ＣＡＦ  ｉｎｄｅｘの複数の信号系列を生成する。そして、信号処理部３２によりこれらの信号系列のうち時間軸原点から所定の範囲内に有る系列を０に置換し、ＦＦＴ部３３に入力する。これにより得られるＣＳＦ  ｉｎｄｅｘの周期定常スペクトルを変調多値数検出部３４により所定の判定基準レベルのもとで２つの状態に分別し、無線周波数信号の変調多値数を検出する。【選択図】      図１
2005039345.tif 000002
【特許請求の範囲】
【請求項１】
多値変調された無線周波数信号を受信して受信信号を出力する受信手段と、
前記受信信号の時間に対する周期定常性を算出して複数の信号系列を出力する算出手段と、
前記複数の信号系列のうち時間軸に対して一定の範囲に出現する信号系列を一定値に置換する置換手段と、
この置換手段により一定値に置換された信号系列を含む複数の信号系列の時間応答を周波数領域に変換して周期定常スペクトルを出力する変換手段と、
前記周期定常スペクトルから前記無線周波数信号の変調多値数を検出する検出手段とを具備することを特徴とする信号処理装置。
【請求項２】
前記置換手段は、前記算出手段から出力される信号系列のうち時間軸の原点近傍に分布する信号系列を一定値に置換することを特徴とする請求項１に記載の信号処理装置。
【請求項３】
前記一定値は、ゼロであることを特徴とする請求項１に記載の信号処理装置。
【請求項４】
さらに、前記受信信号の包絡の統計量を求める統計手段と、前記統計量に基づいて、前記置換手段により前記一定値に置換される信号系列の出現範囲を可変制御する制御手段とを具備することを特徴とする請求項１に記載の信号処理装置。
【請求項５】
多値変調された無線周波数信号に基づく受信信号の時間に対する周期定常性を算出して複数の信号系列を生成する算出ステップと、
前記複数の信号系列のうち時間軸に対して一定の範囲に出現する信号系列を一定値に置換する置換ステップと、
この置換ステップにおいて一定値に置換された信号系列を含む複数の信号系列の時間応答を周波数領域に変換して周期定常スペクトルを生成する変換ステップと、
前記周期定常スペクトルから前記無線周波数信号の変調多値数を検出する検出ステップとを具備することを特徴とする信号処理方法。
【請求項６】
前記置換ステップは、前記算出ステップにおいて生成される信号系列のうち時間軸の原点近傍に分布する信号系列を一定値に置換するステップであることを特徴とする請求項５に記載の信号処理方法。
【請求項７】
前記一定値は、ゼロであることを特徴とする請求項５に記載の信号処理方法。
【請求項８】
さらに、前記受信信号の包絡の統計量を求める統計ステップと、
前記統計量に基づいて、前記置換手段により前記一定値に置換される信号系列の出現範囲を可変制御する制御ステップとを具備することを特徴とする請求項５に記載の信号処理方法。
【発明の詳細な説明】
【０００１】
【発明の属する技術分野】
本発明は、例えば無線信号の変調多値数を推定するために用いられる信号処理装置および信号処理方法に関する。
【０００２】
【従来の技術】
近年の通信需要の増大に伴い、無線通信装置が急速に普及している。このような状況のなかで秩序を保ち、かつ有効に電波を利用するためには、それぞれの無線局を一定の条件のもとで使用する必要がある。しかしながら無線機器の故障や違法な運用などにより、全ての無線通信装置が条件を満たして運用されているとは言えない状況にある。これらを放置すると、正常に運用されている無線機器の運用に障害が及ぼされる虞があるため、電波の利用状況を監視して異常電波の発生を防止することが重要になってきている。このような目的のためには各電波局から送出される電波の諸元を推定することが必要であり、そのための信号処理装置が開発されてきている。
【０００３】
この種の装置は、周波数変調（ＦＳＫ）波、位相変調（ＰＳＫ）波、ＧＭＳＫ（ガウシアン・フィルタド・ミニマム・シフト・キーイング）波、直交振幅変調（ＱＡＭ）波などのディジタル変調波を対象とし、信号処理によりその諸元を解析する。特に、電波の諸元を解析するにはその変調多値数を推定することが有効であり、従来では変調波のスペクトル形状をスペクトラムアナライザなどにより分析することで、その変調多値数に関する知見を得るようにしていた。しかしながら既存の信号処理装置は、変調多値数を十分な精度で推定できるとはいえず、更なる精度の向上が待たれている。
【０００４】
なお、関連する技術が下記非特許文献に開示されている。この文献には電波の周期定常性に関する詳細が記載されている。電波の周期定常性とは変調信号に固有の統計量を把握するための指標であり、電波の変調多値数を推定するために必要な情報である。
【０００５】
【非特許文献１】
Ｍｉｌｉｔａｒｙ  Ｃｏｍｍｕｎｉｃａｔｉｏｎｓ  Ｃｏｎｆｅｒｅｎｃｅ  １９８８，  ＭＩＬＣＯＭ  ８８，  ｐｐ４１９  −  ４２４
【０００６】
【発明が解決しようとする課題】
以上述べたように、電波の変調多値数を推定するための信号処理装置の更なる精度の向上が要望されている。特に、事前に何らの情報を必要とせず、到来する無線電波それ自身からその電波の変調多値数を推定することの可能な信号処理装置の提供が待たれている。
【０００７】
本発明は上記事情によりなされたもので、その目的は、変調多値数を高い精度で推定することの可能な信号処理装置及び信号処理方法を提供することにある。
【０００８】
【課題を解決するための手段】
上記目的を達成するために本発明に係わる信号処理装置は、多値変調された無線周波数信号を受信して受信信号を出力する受信手段（例えばアンテナ１０および受信部２０）と、前記受信信号の時間に対する周期定常性を算出して複数の信号系列を出力する算出手段（例えば周期定常性算出部３１）と、前記複数の信号系列のうち時間軸に対して一定の範囲に出現する信号系列を一定値に置換する置換手段（例えば信号処理部３２）と、この置換手段により一定値に置換された信号系列を含む複数の信号系列の時間応答を周波数領域に変換して周期定常スペクトルを出力する変換手段（例えばＦＦＴ部３３）と、前記周期定常スペクトルから前記無線周波数信号の変調多値数を検出する検出手段（例えば変調多値数検出部３４）とを具備する。なお変調多値数とは、一般には２以上の自然数である。すなわち２値変調は、多値変調の概念に含まれる。
【０００９】
このような手段を講じることにより、周期性を有する複数の信号系列が算出手段により算出される。これらの信号系列の周期性が変換手段により周波数領域に変換され、周期定常スペクトルが得られる。この周期定常スペクトルを例えば所定の閾値のもとで２つの状態に区分することにより、無線周波数信号の変調多値数を検出することができる。
【００１０】
このような構成において、置換手段を新たに設け、算出手段により得られる複数の信号系列一部、好ましくは時間軸原点近傍配列する信号系列を一定値、好ましくはゼロに置換することにより、変換手段において得られる周期定常スペクトルの周波数に対する分離度を高めることができる。従って検出手段における変調多値数の検出の精度を高めることができ、これにより変調多値数を高い精度で推定することが可能になる。
【００１１】
【発明の実施の形態】
以下、図面を参照して本発明の実施の形態を詳細に説明する。
（第１の実施形態）
図１は、本発明に係わる信号処理装置の第１の実施の形態を示すブロック図である。この信号処理装置は、高速計算機やディジタル・シグナル・プロセッサ（ＤＳＰ）などとして実現される。図１において、実空界から到来し観測対象となる無線周波数信号はアンテナ１０により捕捉され、受信部２０に入力される。受信部２０は無線周波数信号に対して信号帯域検出、キャリア同期、タイミング同期などの処理を施し、ベースバンド（ＢＢ）信号を生成して信号分析部３０に入力する。受信部２０は、無線周波数信号の性質に応じて耐雑音特性の向上のための移動平均演算処理なども実施する。
【００１２】
信号分析部３０はＢＢ信号に対して各種の演算処理を施し、アンテナ１０に到来する無線周波数信号の諸元を解析する。表示部３５は、信号分析部３０による解析の結果を視覚的に表示する。受信部２０、信号分析部３０および、表示部３５は、記憶部５０に記憶される制御プログラムのもとで制御器４０により動作制御される。
【００１３】
信号分析部３０は、周期定常性算出部３１と、信号処理部３２と、ＦＦＴ部３３と、変調多値数検出部３４とを備える。
周期定常性算出部３１は、ＢＢ信号の時間に対する周期定常性を算出し、複数の信号系列を出力する。信号処理部３２は、周期定常性算出部３１から出力される複数の信号系列のうち時間軸原点の近傍に出現する信号系列をゼロ値に置換する。すなわち信号処理部３２は、複数の信号系列の一部をゼロ化した状態でＦＦＴ部３３に入力する。なおこの処理を実施するか否かは制御器４０により決定される。無線周波数信号の性質に応じてゼロ化処理を行わない場合もあり、この場合には周期定常性算出部３１により得られる信号系列がそのまま出力される。
【００１４】
ＦＦＴ部３３は、信号処理部３２から入力される信号に高速フーリエ変換（ＦＦＴ：Ｆａｓｔ  Ｆｏｕｒｉｅｒ  Ｔｒａｎｓｆｏｒｍ）処理を施す。ＦＦＴ処理とは信号の時間応答を周波数領域に変換する処理である。これにより得られる周期定常スペクトルは変調多値数検出部３４に入力される。変調多値数検出部３４は、ＦＦＴ部３３から入力される周期定常スペクトルを所定の判定基準レベルのもとで２つの状態に分別し、無線周波数信号の変調多値数を検出する。検出された情報は表示部３５に表示され、ユーザに通知される。
【００１５】
制御器４０は、これらの信号処理を統括的に制御する。制御器４０は、例えば受信部２０の動作開始／動作停止などの設定、変調多値数検出部３４の検出規範の設定、および判定基準レベルの設定などの処理を実施する。
【００１６】
図２は、図１の受信部２０の一構成例を示す図である。図２において、無線周波数信号はアナログ処理部２１により低雑音増幅などのアナログ処理を施されたのち、ＡＤＣ（Ａｎａｌｏｇ  Ｄｉｇｉｔａｌ  Ｃｏｎｖｅｒｔｅｒ）部２２に入力される。ＡＤＣ部２２はアナログ処理部２１から入力される信号を、標本化、量子化などの処理を経てディジタル信号に変換する。これにより得られたディジタル信号は信号帯域特定部２３および帯域変換部２４に入力される。
【００１７】
信号帯域特定部２３は、受信信号に基づくディジタル信号から観測対象信号が存在する帯域を特定する。その結果に応じて、帯域変換部２４は受信信号に基づくディジタル信号を処理し、受信信号の帯域を変換してベースバンド化する。これにより得られるＢＢ信号は帯域幅推定部２５により観測され、その帯域幅が推定される。その結果に応じて、ＢＢ信号はフィルタ部２６によりフィルタリングされ、帯域を制限された状態で図１の信号分析部３０に入力される。受信部２０における処理は制御部２７により制御される。
【００１８】
図３は、図２の信号帯域特定部２３の一構成例を示す図である。ＡＤＣ部２２から出力されるディジタル信号は、ＦＦＴ部２３１またはフィルタバンク形成部２３２により観測帯域を分割され、その後段の電力測定部２３３によりＦＦＴ部２３１またはフィルタバンク形成部２３２から出力される信号系列の電力が測定される。測定された各信号系列の電力は、比較器２３４により所定の閾値と比較され、観測対象帯域に信号が存在するか否か判定される。
【００１９】
次に、上記構成における作用を説明する。まず、図１の周期定常性算出部３１の処理につき説明する。なお周期定常性の詳細については非特許文献１に詳細に開示される。
周期定常性は、ＣＡＦ（Ｃｙｃｌｉｃ  Ａｕｔｏｃｏｒｒｅｌａｔｉｏｎ  Ｆｕｎｃｔｉｏｎ）を尺度として評価される。ＣＡＦは次式（１）のように定義される。
【数１】
2005039345.tif 000003
【００２０】
式（１）において、ｘは観測対象信号、αは相関周波数、Ｅ［  ］はアンサンブル平均を示す。周期定常性算出部３１は式（１）の演算を実施することにより複数の信号系列を生成する。なお式（１）のようなアンサンブル平均を求めることは、実装上の観点からは容易ではない。よって本実施形態では、或る有限区間の平均値により式（１）を代替する。平均化される区間の長さ、すなわち観測対象信号の範囲、および相関周波数は制御器４０により設定される。
【００２１】
図４は、周期定常性算出部３１から出力される信号系列の例を示す図である。すなわち、図４に示される系列がＣＡＦの信号系列である。ＣＡＦ信号系列は、時間軸（横軸）に対して周期的なピークを示す。
【００２２】
このＣＡＦ信号系列の時間応答を周波数領域に変換した量として、ＣＳＦ（Ｃｙｃｌｉｃ  Ｓｐｅｃｔｒａｌ  Ｆｕｎｃｔｉｏｎ）が定義される。ＣＳＦは次式（２）のように定義される。すなわちＣＳＦはＣＡＦ信号系列をフーリエ変換することにより得られ、図１のＦＦＴ部３３は周期定常性算出部３１からの信号系列に式（２）の演算を施すことによりＣＳＦ信号系列を生成する。
【００２３】
【数２】
2005039345.tif 000004
【００２４】
図５は、図１のＦＦＴ部３３から出力されるＣＳＦの信号系列の一例を示す図である。この信号系列を、例えば強度（縦軸）の０．１５を閾値として識別することにより無線周波数信号の変調多値数を推定することが可能になる。図５は良好に分離する２つのピークを示し、従って図４のＣＡＦ系列を示す無線周波数信号の多値数が２であることが読み取れる。
【００２５】
仮に、観測対象信号としてＭ値でＦＳＫ変調された無線周波数信号を想定する。Ｍ値のＦＳＫ変調信号は、伝送符号に基づいて搬送波周波数を例えば次式（３）のいずれかに変化させることにより生成される。
【数３】
2005039345.tif 000005
【００２６】
搬送波周波数は互いに発振周波数の異なる複数の発振器の出力を切り替え選択することによっても変化させることができるが、周波数の急激な切り替えはスペクトルの拡大を生じさせる。このため一般には、位相の連続性を保てるＣＰ（Ｃｏｎｔｉｎｕｏｕｓ  Ｐｈａｓｅ）ＦＳＫが用いられる。
【００２７】
搬送波の位相は、過去の周波数偏移の積分として表現される。よってＣＰＦＳＫの位相軌跡を位相木（位相ダイヤグラム）により表現することができる。位相木は時間経過、つまり観測時間と共に増大するが、搬送波の位相は０から２πの範囲において循環する。よって２πを法（モジュロ）とすることにより位相木は縮退し、所定の集合要素を巡回的に変化するようになる。上記で述べた無線周波数信号の周期定常性は、この周期性の特徴が相関演算によって出現したものである。
【００２８】
図６は、信号処理部３２を機能させない場合にＦＦＴ部３３から出力されるＣＳＦの応答を示す図である。図６における観測対象信号は４値ＦＳＫである。図６から観測されるように、Ｍ値ＦＳＫのＣＳＦをプロットしたグラフにはＦＳＫの多値数Ｍに対応するピークが出現する。
【００２９】
図７は、８値ＦＳＫ信号に対して信号処理部３２を機能させない場合にＦＦＴ部３３から出力されるＣＳＦの応答を示す図である。図６および図７から分かるように、信号処理部３２を機能させない場合には変調多値数が大きくなるに従ってＣＳＦ  ｉｎｄｅｘの中央付近が隆起し、多値数の判定が難しくなる。すなわち、ＣＳＦから多値数を判定するには図６に示される４値程度が限度であり、変調多値数が増えるほどにＣＳＦ系列の分離度が低下し、変調多値数を推定することが困難になる。なおこれは、変調多値数が大きくなるに従って、多値数Ｍに対応するピークのレベルが下がり、中央の擾乱成分が目立つようになるためである。
【００３０】
そこで本実施形態では、信号処理部３２を機能させることによりＣＡＦ  ｉｎｄｅｘの時間軸原点近傍の信号系列をゼロ化するようにする。図１の周期定常性算出部３１から出力される信号は、式（１）に示される信号系列である。この系列は例えば図４のような形状を示す。図４のように、各系列はそれぞれ明確なピークを有しておりそれぞれ区別することができるので、周期定常性算出部３１から出力される系列をｘ（ｉ），（ｉ＝０，１，…，Ｎ−１）とする。図４においては、ｉは横軸（ＣＡＦ  ｉｎｄｅｘ）の各数値に対応する。
【００３１】
信号処理部３２は、ｘ（ｉ）に対して例えば次式（４）に示す処理を実施する。
【数４】
2005039345.tif 000006
【００３２】
すなわち信号処理部３２は、時間軸原点（ｉ＝０）からｉ＜Ｄまでの範囲に有る信号系列を０で置換し、ｉ≧Ｄの範囲に有る系列をそのままＦＦＴ部３３に出力するという処理を行う。
【００３３】
図８は信号処理部３２を機能させた場合、つまり信号処理部３２に上記のような処理を実施させた場合にＦＦＴ部３３から出力されるＣＳＦの応答を示す図である。図８における観測対象信号は４値ＦＳＫであり、図８のグラフは図６と比較できる。図８から観測されるように、Ｍ値ＦＳＫのＣＳＦをプロットしたグラフには図６に比べてさらに良好に分離したピークが出現する。
【００３４】
図９は、８値ＦＳＫ信号に対して信号処理部３２を機能させた場合にＦＦＴ部３３から出力されるＣＳＦの応答を示す図である。図９においては、図７のＣＳＦ  ｉｎｄｅｘのグラフ中央付近に見られた隆起が無くなり、変調多値数に対応するピークが良好に分離して現れている。従ってこのピークをカウントすることにより、変調多値数を正確かつ容易に推定することが可能になる。
【００３５】
図８や図９に示したような波形が観測されるのは、受信状態が良好な場合などにおいてである。しかしながら、実際には必ずしも良好な受信状態下にある訳ではなく、観測対象信号は雑音や無線伝搬路の歪によって劣化している。
【００３６】
図１０は、雑音などの影響を受けた場合のＣＳＦの応答の例を示す図である。図１０の（ａ）、（ｂ）とも、変調多値数が４の場合の例を示している。図１０から、変調多値数に対応するピークのレベルにばらつきが生じ、さらに、ピークに広がりが生じていることが確認できる。
【００３７】
このような状況においても、変調多値数に対応するピークを検出するためには、マシン側の処理によって、グルーピング処理を施すことが有効である。グルーピング処理を行うことで、変調多値数Ｍの推定精度を向上することができる。
【００３８】
図１１は、変調多値数検出部３４におけるグルーピング処理につき説明するための概念図である。図示されるように、ＣＳＦ信号系列は複数のグループに区分することができる。これらのグループの数をカウントすることで、無線周波数信号の変調多値数Ｍを推定することができる。
【００３９】
図１２は、変調多値数検出部３４によるグルーピング処理をより具体的に説明するための概念図である。図１２において各ＣＳＦ系列はｐ［ｉ］で示される。このうち値の最も大きい系列をＭａｘｐ［ｉ］で示す。さらに、Ｍａｘｐ［ｉ］よりも値の小さい数値αを導入し、これをＭａｘｐ［ｉ］から減算した値Ｍａｘｐ［ｉ］−αを、グルーピングの際の判定基準レベルとする。
【００４０】
そうすると、各系列は、Ｍａｘｐ［ｉ］−αを境界として０または１のいずれかの状態に対応する。これをｑ［ｉ］で示す。図示されるようにｑ［ｉ］は、０（系列が基準値以下）が連続するなかで、１（系列が基準値以上）が連続する部分が生じる。これを例えばソフトウェア処理などによりグルーピングの指標とすることで、例えば図１２においてはグループ１〜グループ４の４つのグループに分けることができる。これにより、変調多値数Ｍが４であることが判断される。
【００４１】
このように本実施形態では、無線周波数信号をダウンコンバートしたＢＢ信号の周期定常性を周期定常性算出部３１により算出し、ＣＡＦ  ｉｎｄｅｘの複数の信号系列を生成する。そして、信号処理部３２によりこれらの信号系列のうち時間軸原点から所定の範囲内に有る系列を０に置換し、ＦＦＴ部３３に入力する。これにより得られるＣＳＦ  ｉｎｄｅｘの周期定常スペクトルを変調多値数検出部３４により所定の判定基準レベルのもとで２つの状態に分別し、無線周波数信号の変調多値数を検出するようにしている。
【００４２】
このように、ＣＡＦ  ｉｎｄｅｘの信号系列のうち時間軸原点近傍の系列を０で置換することで、ＣＳＦ  ｉｎｄｅｘの信号系列グラフの中央付近に隆起が生じることを防止し、ＣＳＦ  ｉｎｄｅｘの信号系列を良好に分離することができる。０に置換すべきＣＡＦ  ｉｎｄｅｘの範囲は、制御器４０により任意に変更することができる。このようなことから本実施形態によれば、いかなる無線周波数信号に対してもその変調多値数Ｍを正確かつ容易に推定することが可能になる。
【００４３】
（第２の実施形態）
図１３は、本発明に係わる信号処理装置の第２の実施形態を示すブロック図である。なお図１３において図１と共通する部分には同一の符号を付して示し、ここでは異なる部分についてのみ説明する。図１３において受信部２０から出力されるＢＢ信号は、信号分析部６０の周波数オフセット検出部６１、周波数オフセット補正部６２、およびセレクタ６３に入力される。周波数オフセット検出部６１はＢＢ信号の周波数オフセットを検出し、その結果に基づいて、周波数オフセット補正部６２によりＢＢ信号の周波数オフセットが補正される。
【００４４】
セレクタ６３は、周波数オフセットを補正しないＢＢ信号、または周波数オフセットが補正されたＢＢ信号のいずれかを選択し、検波器６４および周期定常スペクトル算出部６６に入力する。いずれの信号を選択するかは信号分析部６０の制御部６８により制御される。検波器６４は入力されたＢＢ信号を検波し、その出力を統計量算出部６５に入力する。統計量算出部６５は、検波器６４の出力信号に係わる平均、分散などの統計量を算出する。本実施形態では、統計量算出部６５は観測対象信号の受信包絡の分散を算出する。得られた統計量は周期定常スペクトル算出部６６に入力される。
【００４５】
周期定常スペクトル算出部６６は、図１の周期定常性算出部３１、信号処理部３２、およびＦＦＴ部３３を備え、第１の実施形態で述べた手順により、入力されたＢＢ信号の周期定常スペクトルを求める。周期定常スペクトル算出部６６から出力されるＣＳＦ信号系列は変調多値数検出部３４に渡され、アンテナ１０に到来する無線周波数信号の変調多値数Ｍが推定される。
【００４６】
本実施形態においては、周期定常スペクトル算出部６６における信号処理部３２の処理の実行／停止（すなわち信号処理部３２のオン／オフ）のいずれかを、統計量算出部６５により得られる受信包絡の分散に基づいて決定するようにする。すなわち、ＣＡＦ信号系列の一部を０で置換するか／否かという判断が、受信信号の受信包絡の分散に基づいて制御部６８により決定される。
【００４７】
周期定常スペクトル算出部６６は、統計量算出部６５から通知される受信包絡の分散値を、予め設定された閾値と比較する。そして周期定常スペクトル算出部６６は、分散値が閾値よりも小さい場合には信号処理部３２を動作させ、それ以外の場合には信号処理部３２を動作させないように機能する。なお、統計量算出部６５において分散値と閾値とを比較し、その結果に応じて、信号処理部３２のオン／オフを切り替える制御信号を統計量算出部６５から周期定常スペクトル算出部６６に与えるようにしても良い。
【００４８】
このように観測対象信号の受信包絡の統計量を用いることにより、定包絡変調方式であるＦＳＫにより変調された無線周波数信号を検出することができる。この情報を用いることにより、変調多値数をより効率的に検出することが可能となる。すなわち本実施形態によれば、上記第１の実施形態により得られる効果に加え、事前の情報を要すること無く変調多値数Ｍを推定することができる。さらに、無線周波数信号のタイミング同期が達成されていない状況においても、変調多値数の推定精度の向上を図ることができる。
【００４９】
（さらに詳しい説明）
次に、上記第１および第２の実施形態における処理につきさらに詳しく説明する。図１４は、無線周波数信号の周期定常性の時間応答の他の例を示す図である。図１４の系列の時間応答をフーリエ変換して周波数領域信号に変換したすることにより周期定常スペクトルが得られ、周期定常スペクトルのピーク数をカウントすることで変調多値数推定することができる。
【００５０】
図１４に示した時間応答から、周期的な変動が観測される。この周期性が、周波数領域における線スペクトル成分となる。図１４によれば、横軸が０から１の領域において周期性の乱れが観測される。この時間領域における周期性の乱れは、周波数領域信号にも影響を与え、周期定常スペクトルに劣化を引き起こす。上記実施形態では、この横軸の原点近傍をゼロ化することにより周期性の乱れの影響を回避するようにする。
【００５１】
なお、図１４の横軸は信号伝送速度により正規化されているが、装置の実施に際しては観測対象信号の信号伝送速度は未知であることから、周期性を乱す範囲としての０から１に対応する領域を厳密に把握することは難しい。つまり、ゼロ置換する領域を厳密に把握することは難しい。
【００５２】
しかしながら本発明の目的は、周期性を乱す部分の影響を大まかに除去できれば良く、従ってゼロ化すべき領域を厳密に決定する必要はない。つまり、時間応答の０（原点）から全体の１／４をゼロ化したり、時間応答の０から全体の１／８をゼロ化したりすることで、充分な効果を得ることができる。すなわち、周期性を乱す部分である時間軸原点近傍の時間応答の影響を回避することができれば充分であり、従ってゼロ化する領域を厳密に制限する必要はない。なお図６に示されるように、多値数が４値程度であれば、時間応答の０近傍で生じる周期性の乱れの影響は少ない。これは、ＣＳＦ  ｉｎｄｅｘの０近傍の隆起に比べ、多値数に相当する線スペクトルのレベルが大きいことによる。
【００５３】
図１５は、信号の諸元を観測する機能を持つ信号処理装置のブロック構成図である。図１５において、受信部２０は観測対象信号を受信し、ＢＢ信号を次段の信号諸元検出部７０に出力する。信号諸元検出部７０は、制御器４０の指示に基づき観測対象信号の変調に関する諸元を検出するための信号処理を実施する。信号諸元検出部７０により検出された各パラメータは、制御器４０の指示に基づき表示／インタフェース部３６に渡される。表示／インタフェース部３６は、信号諸元検出部７０により検出された各パラメータを視覚的に表示する。また制御器４０は、受信部２０、信号諸元検出部７０、表示／インタフェース部３６に対する制御を統括的に実施する。また制御器４０は、表示／インタフェース部３６から入力された指示に基づいて信号処理装置の動作を変更する。
【００５４】
図１６は、図１５の信号諸元検出部７０の一構成例を示すブロック図である。図１６において、受信部２０から出力されるＢＢ信号は、変調多値数検出部７１、変調形式検出部７２、伝送速度検出部７３、諸パラメータ検出部７４にそれぞれ入力される。変調多値数検出部７１の処理機能は上記で説明したのと同様である。変調形式検出部７２は、ＡＳＫ、ＰＳＫ、ＦＳＫなどの、観測対象信号の変調形式を検出し、その結果を変調多値数検出部７１および表示部／インタフェース部３６に出力する。伝送速度検出部７３は観測対象信号の信号伝送速度を検出し、その結果を変調多値数検出部７１および表示部／インタフェース部３６に出力する。諸パラメータ検出部７４は、観測対象信号に関する他のパラメータを検出する。各部７５，６５，３１，６２，７６，７４，７７に対する制御は制御部７８により統括的に実施される。
【００５５】
上記構成においては、変調形式検出部７２から出力される信号、および伝送速度検出部７３から出力される信号がともに変調多値数検出部７１に入力されることが特徴的である。このような構成とすることで、本発明の目的とする変調多値数の検出をより効率的に実施することが可能となる。
【００５６】
すなわち変調多値数検出部７１に、観測対象信号の伝送速度および変調形式を通知することにより、図１４に示されるような周期性を乱す領域をより的確に把握することができる。従って上記構成によれば、特にＦＳＫ変調方式により変調された無線周波数信号の多値数をより効率的に検出することが可能になる。
【００５７】
図１７は、信号の諸元を観測する機能を持つ信号処理装置の他の構成を示すブロック図である。なお図１７において図２、図３、図１６と共通する部分には同一の符号を付して示し、ここでは異なる部分についてのみ説明する。図１７の信号帯域特定部２３において観測対象らしき信号が観測された場合、すなわち電力測定部２３３において予め設定された電力以上の信号が観測された場合には、その信号を選択すべく帯域変換部２４の通過帯域が変換され、観測対象信号がフィルタ部２６に渡される。フィルタ部２６は、帯域幅推定部２６１により観測対象信号の帯域幅を大まかに推定し、その結果に応じてフィルタ２６２の帯域を設定して対象信号をフィルタリングする。フィルタ２６２を通過した観測対象信号は信号諸元検出部７０に入力される。
【００５８】
フィルタ部２６から信号諸元検出部７０に入力される観測対象信号は、ピーク検出部７５、統計量算出部６５、周期定常性算出部３１、シンボルクロック抽出部７６、諸パラメータ検出部７４にそれぞれ入力される。ピーク検出部７５は観測対象信号のピークを検出する。シンボルクロック抽出部７６は、観測対象信号のシンボルクロックを抽出する。
【００５９】
各部７５，６５，３１，７６，７４により検出された各パラメータは諸元分類処理部７７に与えられる。ただし周期定常性算出部３１から出力される信号系列は信号処理部３２を経て一部ゼロ化処理され、変調多値数データが取得される。この変調多値数データが諸元分類処理部７７に与えられる。これらの各パラメータは参照データテーブル８０にデータベース化される。また、過去に取得された諸パラメータを参照データテーブル８０から読み出し、参照することにより、信号諸元の推定性能を向上させることが可能となる。
【００６０】
なお、本発明は上記実施の形態に限定されるものではない。
例えば周期定常性は、式（１）を変形した次式（５）によっても算出することができる。
【数５】
2005039345.tif 000007
【００６１】
式（５）の評価尺度が他の分析信号処理で必要となる場合には、式（５）の周期定常性を用いることで、同じデータを他の分析信号処理と共用することが可能となるメリットがある。
【００６２】
また上記実施形態では、無線周波数信号をダウンコンバートしてベースバンド信号に変換するようにしているが、これに代えて中間周波数信号に変換するようにしても良い。
また上記実施形態では、ＣＡＦ信号系列の一部を０に置換するようにしているが、これに代えて、０でない一定値に置換するようにしても良い。
さらに本発明は、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００６３】
【発明の効果】
以上詳しく述べたように本発明によれば、変調多値数を高い精度で推定することの可能な信号処理装置および信号処理方法を提供することができる。
【図面の簡単な説明】
【図１】本発明に係わる信号処理装置の第１の実施の形態を示すブロック図。
【図２】図１の受信部２０の一構成例を示す図。
【図３】図２の信号帯域特定部２３の一構成例を示す図。
【図４】図１の周期定常性算出部３１から出力される信号系列の例を示す図。
【図５】図１のＦＦＴ部３３から出力されるＣＳＦの信号系列の一例を示す図。
【図６】４値ＦＳＫ信号に対して、信号処理部３２を機能させない場合にＦＦＴ部３３から出力されるＣＳＦの応答を示す図。
【図７】８値ＦＳＫ信号に対して、信号処理部３２を機能させない場合にＦＦＴ部３３から出力されるＣＳＦの応答を示す図。
【図８】４値ＦＳＫ信号に対して、信号処理部３２を機能させた場合にＦＦＴ部３３から出力されるＣＳＦの応答を示す図。
【図９】８値ＦＳＫ信号に対して、信号処理部３２を機能させた場合にＦＦＴ部３３から出力されるＣＳＦの応答を示す図。
【図１０】雑音などの影響を受けた場合のＣＳＦの応答の例を示す図。
【図１１】変調多値数検出部３４におけるグルーピング処理につき説明するための概念図。
【図１２】変調多値数検出部３４によるグルーピング処理をより具体的に説明するための概念図。
【図１３】本発明に係わる信号処理装置の第２の実施形態を示すブロック図。
【図１４】無線周波数信号の周期定常性の時間応答の他の例を示す図。
【図１５】信号の諸元を観測する機能を持つ信号処理装置のブロック構成図。
【図１６】図１５の信号諸元検出部７０の一構成例を示すブロック図。
【図１７】信号の諸元を観測する機能を持つ信号処理装置の他の構成を示すブロック図。
【符号の説明】
１０…アンテナ、２０…受信部、２１…アナログ処理部、２２…ＡＤＣ部、２３…信号帯域特定部、２４…帯域変換部、２５…帯域幅推定部、２６…フィルタ部、２７…制御部、３０…信号分析部、３１…周期定常性算出部、３２…信号処理部、３３…ＦＦＴ部、３４…変調多値数検出部、３５…表示部、３６…インタフェース部、４０…制御器、５０…記憶部、６０…信号分析部、６１…周波数オフセット検出部、６２…周波数オフセット補正部、６３…セレクタ、６４…検波器、６５…統計量算出部、６６…周期定常スペクトル算出部、６８…制御部、７０…信号諸元検出部、７１…変調多値数検出部、７２…変調形式検出部、７３…伝送速度検出部、７４…諸パラメータ検出部、７５…ピーク検出部、７６…シンボルクロック抽出部、７７…諸元分類処理部、８０…参照データテーブル、２３１…ＦＦＴ部、２３２…フィルタバンク形成部、２３３…電力測定部、２３４…比較器、２６１…帯域幅推定部、２６２…フィルタ
【図１】
2005039345.tif 000008
【図２】
2005039345.tif 000009
【図３】
2005039345.tif 000010
【図４】
2005039345.tif 000011
【図５】
2005039345.tif 000012
【図６】
2005039345.tif 000013
【図７】
2005039345.tif 000014
【図８】
2005039345.tif 000015
【図９】
2005039345.tif 000016
【図１０】
2005039345.tif 000017
【図１１】
2005039345.tif 000018
【図１２】
2005039345.tif 000019
【図１３】
2005039345.tif 000020
【図１４】
2005039345.tif 000021
【図１５】
2005039345.tif 000022
【図１６】
2005039345.tif 000023
【図１７】
2005039345.tif 000024